(57)【要約】【課題】輪転印刷機を用いてＡ４サイズの２分割および３分割のコンピュータ帳票の印刷・加工において、２分割と３分割のコンピュータ帳票ごとに胴を交換する必要があった。また、Ａ４サイズ３分割のコンピュータ帳票の製造には胴に直接ミシン刃を職人の手で正確に貼る必要があった。【解決手段】円筒部材の表面にミシン刃取付用の第一、第二、第三、第四の溝部が形成され、前記部材の第一の溝部の対向部に第二の溝部が形成され、前記部材の前記第一と第二の溝部の間にそれぞれ第三と第四の溝部が形成され、前記第一と第三の溝部の間の間隔と第一と第四の溝部の間の間隔が等しく、第二の溝と第三の溝の間隔が第一の溝と第三の溝の間隔よりも小さい配置を有することを特徴とする輪転印刷機用ミシン胴を用いて印刷・加工し、Ａ４サイズ２分割および３分割のコンピュータ帳票の製造能力を向上することができる。【選択図】図４
2017213837.tif 000002
【特許請求の範囲】
【請求項１】
円筒部材の表面にミシン刃取付用の第一、第二、第三、第四の溝部が形成され、前記部材の第一の溝部の対向部に第二の溝部が形成され、前記部材の前記第一と第二の溝部の間にそれぞれ第三と第四の溝部が形成され、前記第一と第三の溝部の間の間隔と第一と第四の溝部の間の間隔が等しく、第二の溝と第三の溝の間隔が第一の溝と第三の溝の間隔よりも小さい配置を有することを特徴とする輪転印刷機用ミシン胴。
【請求項２】
第一の溝部と第三の溝部の間隔を１０２．９ｍｍ、第三の溝部と第二の溝部の間隔を９９ｍｍとすることを特徴とする請求項１の輪転印刷機用ミシン胴。
【請求項３】
円筒部材の表面にミシン刃取付用の第一、第二、第三、第四の溝部が形成され、前記部材の第一の溝部の対向部に第二の溝部が形成され、前記部材の前記第一と第二の溝部の間にそれぞれ第三と第四の溝部が形成され、前記第一と第三の溝部の間の間隔と第一と第四の溝部の間の間隔が等しく、第二の溝と第三の溝の間隔が第一の溝と第三の溝の間隔よりも小さい配置を有することを特徴とする輪転印刷機用ミシン胴を用い、前記第一の溝部と第二の溝部にミシン刃を取り付け、前記ミシン胴表面に印刷用紙を給紙し、前記ミシン刃にてミシン目を作成することを特徴とする印刷・加工方法。
【請求項４】
円筒部材の表面にミシン刃取付用の第一、第二、第三、第四の溝部が形成され、前記部材の第一の溝部の対向部に第二の溝部が形成され、前記部材の前記第一と第二の溝部の間にそれぞれ第三と第四の溝部が形成され、前記第一と第三の溝部の間の間隔と第一と第四の溝部の間の間隔が等しく、第二の溝と第三の溝の間隔が第一の溝と第三の溝の間隔よりも小さい配置を有することを特徴とする輪転印刷機用ミシン胴を用い、前記第一の溝部と第三の溝部と第四の溝部に前記ミシン刃を取り付け、前記ミシン胴表面に印刷用紙を給紙し、前記ミシン刃にてミシン目を作成することを特徴とする印刷・加工方法。
【発明の詳細な説明】
【技術分野】
【０００１】本発明は、輪転印刷機を用いてＡ４サイズ（２１０×２９７ｍｍ）の長辺（２９７ｍｍ）を２分割（１４８．５ｍｍ間隔）または長辺を３分割（９９ｍｍ間隔）に印刷と同時にミシン加工（印刷用紙分断用の切り目を形成する）できるコンピュータ帳票等を製造する印刷・加工に関する技術である。
【背景技術】
【０００２】輪転印刷機のミシン胴はインチ単位（１ｍｍ＝２５．４ｍｍ）で製造されている。輪転印刷機でＡ４サイズのコンピュータ帳票を製造する場合、通常は円筒状の円周の長さが１２インチ（３０４．８ｍｍ）のミシン胴を用いて印刷・加工する。【０００３】Ａ４サイズ２分割のコンピュータ帳票の場合、半分の６インチ（１５２．４ｍｍ）の位置にミシンを入れれば、天地を３．９ｍｍずつ断裁することで製造が可能だが、Ａ４サイズ３分割のコンピュータ帳票の場合は、仮に規格品の４インチ（１０１．６ｍｍ）の位置にミシンを入れたのでは、天地を３．９ｍｍずつ断裁しても中間の９９ｍｍがとれないため、製作が不可能であった。そのため、Ａ４サイズ３分割のコンピュータ帳票を製造する都度、ミシン刃を直接胴に貼る工程（貼りミシン）を経て、印刷・加工する必要があった。【０００４】貼りミシンは両面テープを用いてミシン刃を直接胴に貼りつける手作業のため、まっすぐミシン胴に貼りつける手間と時間がかかり、ミシン刃も使い捨てとなっていた。
【先行技術文献】
【特許文献】
【０００５】
【特許文献１】平３−４７１２３号  公報
【特許文献２】特開２０１２−２４９６６号  公報
【発明の概要】
【発明が解決しようとする課題】
【０００６】本発明は、輪転印刷機を用いたＡ４サイズ２分割または３分割のコンピュータ帳票の製造能力の向上を目的とする。従来の方法では、前述したように、３分割のコンピュータ帳票の製造はミシン胴に直接ミシン刃を貼りつける工程（貼りミシン）を経て、印刷・加工していた。【０００７】貼りミシンを用いると１７．５インチ（４４５ｍｍ）の巻取用紙にＡ４サイズの用紙を２丁並列で印刷・加工することができない。なぜならば、幅１７．５インチ（４４５ｍｍ）の巻取用紙にＡ４サイズの短辺２１０ｍｍを２丁並列の４２０ｍｍという長さでは距離が長い。距離が長いとミシン刃にかかる圧力が安定せず、印刷用紙の中心と外側でミシン目の切れ味が変わってしまう。したがって、貼りミシンは、２丁並列での印刷・加工には使用できず、従来の貼ミシンを用いる方法は幅９．５インチ（２４１ｍｍ）の巻取用紙にＡ４サイズの用紙を１丁で印刷していた。【０００８】また、Ａ４サイズ３分割のコンピュータ帳票の製造において、貼りミシンは中間の９９ｍｍの幅で平行に貼り付ける職人技術が必要であった。また、貼りミシンは熟練したオペレーターでも約３０分の時間がかかり、１度貼った貼りミシン刃は使い捨てとなる。
【課題を解決するための手段】
【０００９】本発明は、輪転印刷機用の１２インチ２−３割のミシン胴を用いるものである。このミシン胴はＡ４サイズ２分割と３分割のコンピュータ帳票をミシン胴の交換をすることなしに印刷・加工できるように作成されている。【００１０】本発明の輪転印刷機用のミシン胴は、表面に第一の溝部が形成され、その対向部に第二の溝部が形成され、第一と第二の溝部の間にそれぞれ第三と第四の溝部が形成され、第一と第三の溝部の間の間隔と第一と第四の溝部の間の間隔が等しく、第二の溝と第三の溝の間隔が第一の溝と第三の溝の間隔よりも小さいという配置を特徴とするもので、第一から第四の溝部にミシン刃がそれぞれ取り付けることができる。【００１１】この輪転印刷機用ミシン胴は、第一の溝部と第三の溝部の間隔を１０２．９ｍｍ、第三の溝部と第二の溝部の間隔を９９ｍｍとする。円周が１２インチ（３０４．８ｍｍ、３６０°）の始まりの位置（０ｍｍ、０°）に第一の溝部、Ａ４サイズ２分割のコンピュータ帳票用に６インチ（１５２．４ｍｍ、９０°）の位置に第二の溝部、Ａ４サイズ３分割のコンピュータ帳票用１０２．９ｍｍ（９９ｍｍ＋３．９ｍｍ、１２１．５３５°）と９９ｍｍ（１１６．９３°）の位置にそれぞれ第三と第四の溝部にミシン刃を取り付けることができる。【００１２】輪転印刷機にこのミシン胴をセットしてＡ４サイズ２分割と３分割のコンピュータ帳票の印刷・加工をする。
【発明の効果】
【００１３】このミシン胴を用いることにより、Ａ４サイズ３分割のコンピュータ帳票の製造において、９９ｍｍ間隔で平行にミシン目を入れる精度の維持、その精度のために費やしていた調整時間の短縮、貼りミシンのミシン刃の使い捨てのコスト削減、幅１７．５インチ（４４５ｍｍ）の巻取用紙に２丁並列で印刷できることによる時間短縮と用紙のコスト削減をすることができる。【００１４】また、Ａ４サイズ２分割と３分割のコンピュータ帳票の製造のために係るミシン胴の交換の時間を短縮することができる。【００１５】本発明によって製造能力が大幅に向上した。そして、新たな受注獲得に繋がると同時に、作業性も格段に良くなった。そのため、オペレーターのモチベーションや就労環境の向上にも繋がった。
【図面の簡単な説明】
【００１６】
【図１】Ａ４サイズ２分割コンピュータ帳票の形状を示す正面図。
【図２】Ａ４サイズ３分割コンピュータ帳票の形状を示す正面図。
【図３】本発明の実施例のミシン胴の外観図。
【図４】図３の胴の部分の断面図。
【図５】輪転印刷機の工程と加工・折部の全体図。
【図６】輪転印刷機のミシン加工部分の詳細図。
【図７】輪転印刷機による印刷・加工後のＡ４サイズ２分割のコンピュータ帳票の形状を示す側面図。
【図８】輪転印刷機による印刷・加工後のＡ４サイズ３分割のコンピュー帳票の形状を示す側面図。
【図９】１７．５インチ幅の巻取用紙に２丁で印刷・加工したときＡ４サイズ２分割のコンピュータ帳票の形状を示す正面図。
【図１０】１７．５インチ幅の巻取用紙に２丁で印刷・加工したときのＡ４サイズ３分割のコンピュータ帳票の形状を示す正面図。
【発明を実施するための形態】
【実施例】
【００１７】以下、本発明にかかる実施例について図面を用いて説明する。【００１８】Ａ４サイズ２分割のコンピュータ帳票１（図１）と３分割のコンピュータ帳票２（図２）を製造する。その製造には本発明の１２インチ２−３割のミシン胴（図３、図４）を用いる。ミシン胴（図３）はフレーム３と持ち手４がついており、重量は約４０ｋｇある。ミシン胴の胴部分５はギア６に動力を伝えて回転する。ミシン胴の胴部分３は図４に示すように、特定の位置の溝部７ａ、７ｂ、７ｃ、７ｄが形成されており、これらの溝部にミシン刃をセットできる形状になっている。【００１９】ミシン刃のミシン胴の胴部分３へのセットは刃面を押える形式で押え板８ａ、８ｂ、８ｃ、８ｄを介して、焼入したミシン刃９ａ、９ｂ、９ｃ、９ｄを押えネジ１０ａ、１０ｂ、１０ｃ、１０ｄで軽く固定する。【００２０】第一の溝部７ａと第三の溝部７ｃの間隔を１０２．９ｍｍ、第三の溝部７ｃと第二の溝部７ｂの間隔を９９ｍｍであり、円周が１２インチ（３０４．８ｍｍ、３６０°）の始まりの位置（０ｍｍ、０°）に第一の溝部７ａ、Ａ４サイズ２分割のコンピュータ帳票用に６インチ（１５２．４ｍｍ、９０°）の位置に第二の溝部７ｂ、Ａ４サイズ３分割のコンピュータ帳票用１０２．９ｍｍ（９９ｍｍ＋３．９ｍｍ、１２１．５３５°）と９９ｍｍ（１１６．９３°）の位置にそれぞれ第三と第四の溝部７ｃ、７ｄにミシン刃を取り付けることができる。【００２１】当社が保有する輪転印刷機ミヤコシＭＳＰ１８（図５）の加工・折部１５のミシン加工部１７にミシン胴（図３）をセットする。図３のミシン胴を電動チェーンブロック１８で吊り上げ、機械上部から降ろして装着する。セットボルト１９を軽く装着した後、横ギメネジ２０にて横位置を決めた後にセットボルトを確実に締めつける。【００２２】Ａ４サイズ２分割のコンピュータ帳票１（図１）を製造するためには、第一の溝部７ａと第二の溝部７ｂにミシン刃９ａ、９ｂを取り付け、第三の溝部７ｃと第四の溝部７ｄにはミシン刃を取り付けない。また、Ａ４サイズ３分割のコンピュータ帳票２（図２）を製造するためには、第一の溝部７ａと第三の溝部７ｃと第四の溝部７ｄにミシン刃９ａ、９ｃ、９ｄを取り付け、第二の溝部７ｂにはミシン刃を取り付けない。【００２３】図３のミシン胴を機械に装着した後に、機械を運転してミシン胴を２〜３回転させながら、受胴上下ハンドル２１にて受胴を上げて行き、各ミシン刃の高さを均一にする。そして、押えネジ１０ａ、１０ｂ、１０ｃ、１０ｄを確実に締め付ける。これを繰り返しながら、受胴を徐々に上げストッパー２２近くにて最終的にセットする。【００２４】印刷・加工は図５に示すように、コンピューター帳票１、２を製造するための印刷用紙が輪転印刷機の給紙部１１、オフセット印刷部１２、凸版印刷部１３、ファイル部１４、加工・折部１５、排紙部１６を走行し、印刷・ミシン加工が完了する。【００２５】印刷はオフセット印刷部１２と凸版印刷部１３にて印刷される。図９と図１０のファイル穴２４は、ファイル部１４にて加工される。ミシン加工はミシン胴の胴部分３とミシン受胴２３の間を印刷用紙が通過することでミシン加工される。折加工は加工・折部１５にてミシン��の第１の溝部７ａのミシン刃９ａで形成されたミシン目１００ａを折ミシンとして加工され、印刷用紙が折り返される。【００２６】印刷・加工後、排紙部１６よりＡ４サイズ２分割のコンピュータ帳票の仕上げ前の形状（図７、図９）または、Ａ４サイズ３分割のコンピュータ帳票の仕上げ前の形状（図８、図１０）となって排紙される。【００２７】Ａ４サイズ２分割のコンピュータ帳票１のミシン目１０１ｂはミシン胴の第二の溝部７ｂに装着したミシン刃９ｂによって形成される。また、Ａ４サイズ３分割のコンピュータ帳票２のミシン目１０２ｃ、１０３ｄはミシン胴の第三の溝部７ｃおよび第四の溝部７ｄに装着したミシン刃９ｃ、９ｄにより形成される。【００２８】印刷・加工後にミヤコシ連続帳票裁断機フォームバースター（図示せず）にて折ミシンを切り離してシート状に加工する。そして、コンピュータ断裁機（図示せず）にて四方を化粧断裁することによりコンピュータ帳票が完成する。【００２９】本発明の方法と従来の方法の効果を下記の表にまとめて比較する。
2017213837.tif 000003
2017213837.tif 000004
【符号の説明】
【００２８】１    Ａ４サイズ２分割のコンピュータ帳票の形状
２    Ａ４サイズ３分割のコンピュータ帳票の形状
３    フレーム
４    持ち手
５    ミシン胴の胴部分
６    ギア
７ａ  第一の溝部（Ａ４サイズ２分割および３分割のコンピュータ帳票用）
７ｂ  第二の溝部（Ａ４サイズ２分割のコンピュータ帳票用）
７ｃ  第三の溝部（Ａ４サイズ３分割のコンピュータ帳票用）
７ｄ  第四の溝部（Ａ４サイズ３分割のコンピュータ帳票用）
８ａ  押え板（第一の溝部）
８ｂ  押え板（第二の溝部）
８ｃ  押え板（第三の溝部）
８ｄ  押え板（第四の溝部）
９ａ  ミシン刃（第一の溝部）
９ｂ  ミシン刃（第二の溝部）
９ｃ  ミシン刃（第三の溝部）
９ｄ  ミシン刃（第四の溝部）
１０ａ  押えネジ（第一の溝部）
１０ｂ  押えネジ（第二の溝部）
１０ｃ  押えネジ（第三の溝部）
１０ｄ  押えネジ（第四の溝部）
１１  給紙部
１２  オフセット印刷部
１３  凸版印刷部
１４  ファイル部
１５  加工・折部
１６  排紙部
１７  ミシン加工部
１８  電動チェーンブロック
１９  セットボルト
２０  横ギメネジ
２１  受胴上下ハンドル
２２  ストッパー
２３  ミシン受胴
２４  ファイル穴
１００ａ  ６ａで形成されたミシン目（折ミシン）
１０１ｂ  ６ｂで形成されたミシン目（Ａ４サイズ２分割のコンピュータ帳票）
１０２ｃ  ６ｃで形成されたミシン目（Ａ４サイズ３分割のコンピュータ帳票）
１０３ｄ  ６ｄで形成されたミシン目（Ａ４サイズ３分割のコンピュータ帳票）
【図１】
2017213837.tif 000005
【図２】
2017213837.tif 000006
【図３】
2017213837.tif 000007
【図４】
2017213837.tif 000008
【図５】
2017213837.tif 000009
【図６】
2017213837.tif 000010
【図７】
2017213837.tif 000011
【図８】
2017213837.tif 000012
【図９】
2017213837.tif 000013
【図１０】
2017213837.tif 000014